(57)【要約】【課題】フーチングと橋脚との間の大きさの差に制限を受けることがなく、コスト低減と工期の短縮とを可能にする。【解決手段】仮締切工１２は、フーチング１４の直径よりも大きな内径の環状に組立てられる仮締切壁体１８と、この仮締切壁体１８の下端外周に係止される環状の型枠体２０とで構成し、この仮締切工１２をフーチング１４の外方の水底地盤中に沈設する。仮締切壁体１８の支保が完了すると、次に、根固めコンクリート部２６が形成される。コンクリート部２６は、型枠体２０内に水中コンクリートを打設することにより形成され、仮締切壁体１８の下端側の一部が、根固めコンクリート部２６中に埋設され、これが終了すると、仮締切工１２の内部を排水して、ドライな状態にし、水中構造物１０の橋脚部１６の修理，補強などの改修工事が行われる。工事が終了すると、仮締切工１２は、コンクリート部２６とともにその全部を撤去する。【選択図】  図３
2004316133.tif 000002
【特許請求の範囲】
【請求項１】
橋梁基礎などの水中構造物の外周を仮締切工で囲撓し、前記仮締切工の内部を排水して、前記水中構造物の修理，補強などの改修を行う仮締切工法において、
前記仮締切工は、予め製作される複数のパネルにより環状に形成される仮締切壁体と、前記仮締切壁体の下端外周に係止される環状の型枠体とを備え、
前記水中構造物の外周を囲繞するようにして、前記仮締切壁体と型枠体とをそれぞれ環状に組立てた後に、
前記水中構造物のフーチングの外側に沈設し、前記型枠体の内側に水中コンクリートを打設して、前記水中構造物と前記型枠体との間に、根固めコンクリート部を水中コンクリートの打設により形成して、前記仮締切工の下端側を止水することを特徴とする仮締切工法。
【請求項２】
前記仮締切壁体の下端側を前記根固めコンクリート内に埋設することを特徴とする請求項１記載の仮締切工法。
【請求項３】
前記型枠体は、下端部が前記仮締切壁体の下端よりも下方に突出するように配置されることを特徴とする請求項１または２記載の仮締切工法。
【請求項４】
前記根固めコンクリート部を形成する水中コンクリートの打設前に、前記仮締切壁体と前記水中構造物の橋脚部との間にジャッキを備えた支保工を設置することを特徴とする請求項１から３のいずれか１項記載の仮締切工法。
【請求項５】
前記型枠体は、環状に組立てられる型枠板と、前記型枠板に添設される補強材と、前記補強材と前記仮締切壁体との間に設けられる連結材とを有することを特徴とする請求項１から４のいずれか１項記載の仮締切工法。
【請求項６】
前記水中構造物の外周にあって、前記型枠体の着底予定部分の水底部に、予め不陸調整用の砕石層ないしは捨てコンクリート層を形成することを特徴とする請求項１から５のいずれか１項記載の仮締切工法。
【請求項７】
前記型枠体と前記根固めコンクリート部は、前記仮締切工に作用する浮力に対抗できるボリュームに設定することを特徴とする請求項１から６のいずれか１項記載の仮締切工法。
【発明の詳細な説明】
【０００１】
【発明の属する技術分野】
本発明は、仮締切工法に関し、特に、水中構造物の修理，補強などの改修を行う際に好適に採用される仮締切工法に関するものである。
【０００２】
【従来の技術】
水中構造物が地震などにより被害を受けた場合に、耐震補強対策を施す必要があり、河川や海上にある水中構造物に耐震補強を実施する際には、構造物の周囲から水を排除して、ドライな環境で作業を行う必要があることから、二重締切工を用いる工法が一般的に採用されている。
【０００３】
ところが、このような二重締切工を用いる工法は、矢板の打設，撤去を伴うため、組立，解体に時間と手間が掛かり、仮設構造物の築造，撤去費用が全体の工費中に大きな割合を占めるという問題があった。
【０００４】
そこで、例えば、特許文献１には、水中構造物のフーチング上に、プレキャストパネル製の仮締切構造体を設置する工法が提案されている。この工法によれば、組立，解体が簡単かつ迅速に行えるとともに、水質汚濁の発生が少なくなるという長所がある。
【０００５】
しかしながら、この特許文献１に開示されている仮締切工法には、以下に説明する技術的な課題があった。
【０００６】
【特許文献１】
特開平１１−２１９０８号公報
【０００７】
【発明が解決しようとする課題】
すなわち、特許文献１に開示されている工法では、水中構造物のフーチング上に仮締切構造体を設置するので、フーチングと橋脚との間に、仮締切構造体を設置しても、作業空間が確保できる大きさの差がなければ、適用することができないという問題があった。
【０００８】
この場合、仮締切構造体は、水深が深ければ、水圧に耐えうる設計とするので、かなりの厚みが必要になり、このような条件では、より一層適用可能な施工現場が制限され、適用できない場合には、旧来の二重締切工を用いる施工となるため、多大のコストと工期の長期化が余儀なくされる。
【０００９】
本発明は、このような従来の問題点に鑑みてなされたものであって、その目的とするところは、フーチングと橋脚との間の大きさの差に制限を受けることがなく、コスト低減と工期の短縮とを可能にする仮締切工法を提供することにある。
【００１０】
【課題を解決するための手段】
上記目的を達成するために、本発明は、橋梁基礎などの水中構造物の外周を仮締切工で囲撓し、前記仮締切工の内部を排水して、前記水中構造物の修理，補強などの改修を行う仮締切工法において、前記仮締切工は、予め製作される複数のパネルにより環状に形成される仮締切壁体と、前記仮締切壁体の下端外周に係止される環状の型枠体とを備え、前記水中構造物の外周を囲繞するようにして、前記仮締切壁体と型枠体とをそれぞれ環状に組立てた後に、前記水中構造物のフーチングの外側に沈設し、前記型枠体の内側に水中コンクリートを打設して、前記水中構造物と前記型枠体との間に、根固めコンクリート部を水中コンクリートの打設により形成して、前記仮締切工の下端側を止水するようにした。
【００１１】
このように構成した仮締切工法によれば、仮締切工は、予め製作される複数のパネルにより環状に形成される仮締切壁体と、仮締切壁体の下端外周に係止される環状の型枠体とを備えている。
【００１２】
そして、この仮締切工は、水中構造物の外周を囲繞するようにして、仮締切壁体と型枠体とをそれぞれ環状に組立てた後に、水中構造物のフーチングの外側に沈設し、型枠体の内側に水中コンクリートを打設して、水中構造物と型枠体との間に、根固めコンクリート部を水中コンクリートの打設により形成して、仮締切工の下端側を止水するので、水中構造物のフーチングと橋脚との間の大きさの差に関係なく仮締切工を設置することができる。
【００１３】
この場合、仮締切工は、予め製作される複数のパネルにより環状に形成される仮締切壁体と、仮締切壁体の下端外周に係止される環状の型枠体とを備えているので、水側地盤への矢板の打設などが不要になり、現地作業を大幅に軽減することができ、コストの低減と工期の短縮とを同時に達成することができる。
【００１４】
前記仮締切壁体の下端側は、前記根固めコンクリート内に埋設することができる。
【００１５】
前記型枠体は、下端部が前記仮締切壁体の下端よりも下方に突出するように配置することができる。
【００１６】
前記根固めコンクリート部を形成する水中コンクリートの打設前に、前記仮締切壁体と前記水中構造物の橋脚部との間にジャッキを備えた支保工を設置することができる。
【００１７】
前記型枠体は、環状に組立てられる型枠板と、前記型枠板に添設される補強材と、前記補強材と前記仮締切壁体との間に設けられる連結材とで構成することができる。
【００１８】
前記水中構造物の外周にあって、前記型枠体の着底予定部分の水底部に、予め不陸調整用の砕石層ないしは捨てコンクリート層を形成することができる。
【００１９】
前記型枠体と前記根固めコンクリート部は、前記仮締切工に作用する浮力に対抗できるボリュームに設定することができる。
【００２０】
【発明の実施の形態】
以下、本発明の好適な実施の形態について、添付図面に基づいて詳細に説明する。図１から図６は、本発明にかかる仮締切工法の一実施例を示している。これらの図に示した仮締切工法では、橋梁基礎などの水中構造物１０の外周を仮締切工１２で囲繞し、仮締切工１２の内部を排水して、水中構造物１０の補修，補強などの改修を行うことが基本構成となっている。
【００２１】
本実施例の場合、改修対象の水中構造物１０は、水底地盤中に下部側が埋設さた円筒状のフーチング１４と、フーチング１４の上部に一体に形成された円筒状の橋脚部１６とを備えている。
【００２２】
ところが、本実施例の場合には、図１に示すように、水中構造物１０のフーチング１４と橋脚部１６と間の直径の差ａが小さく、フーチング１４上に仮締切工１２を設置しても、仮締切工１２と橋脚部１６との間に画成されるドライな作業空間を十分に確保することができない。
【００２３】
そこで、本実施例の場合には、図２に示すように、仮締切工１２は、フーチング１４の直径よりも大きな内径の環状に組立てられる仮締切壁体１８と、この仮締切壁体１８の下端外周に係止される環状の型枠体２０とで構成し、この仮締切工１２をフーチング１４の外側の水底地盤中に沈設するようにした。
【００２４】
仮締切壁体１８は、予め工場生産される鋼製や鉄筋コンクリート製のプレキャストパネルを、環状に組立てたものであって、例えば、前述した特許文献１に開示されているように、複数を段状に積層したものであっても良い。
【００２５】
仮締切壁体１８は、プレキャストパネルを施工現場まで運搬して、水中構造物１０の橋脚部１６の外周を囲繞するように、環状に組立てられる。型枠体２０は、図５，６にその詳細を示すように、型枠板２０ａと、この型枠板２０ａの剛性を補強する補強材２０ｂおよび連結材２０ｃとから構成されている。
【００２６】
型枠板２０ａは、例えば、鋼板から構成され、所定長さの鋼板を周方向に連結して、仮締切壁体１８よりも径大な環状に形成される。補強材２０ｂは、複数のＨ型鋼から構成され、環状に形成された型枠板２０ａの内面側に添設されて、型枠板２０ａの剛性を補強する。
【００２７】
連結材２０ｃは、複数の一般型鋼から構成されていて、トラス状に組み合わされて、外端側が補強材２０ｂに固設され、内端側が仮締切壁体１８の外面に固設される。
【００２８】
型枠体２０を仮締切壁体１６に係止固定する際には、例えば、図５に示すように、型枠板２０ａの概略１／２の長さが、仮締切壁体１８の下端から下方に突出するように配置する。
【００２９】
仮締切壁体１８の下端から型枠体２０を下方に突出するように係止固定しも仮締切壁体１８を上方に浮かせた状態にすると、後述する根固めコンクリート部２６ヘのプレキャスト構造体で構成した仮締切壁体１８の埋設部分が少なくなり、再利用できるプレキャスト構造体の量が多くなる。
【００３０】
なお、この場合、型枠体２０は、必ずしも仮締切壁体１８の下端から下方に突出させる必要はなく、仮締切壁体１８と同じレベルであっても勿論問題はない。
【００３１】
仮締切壁体１８と型枠体２０とを備えた仮締切工１２が、水中構造物１０の橋脚部１６の外周に環状に組立てられると、水中構造物１０のフーチング１４の外側に沈設される。
【００３２】
仮締切工１２を沈設する際には、その前に、図５に示すように、水中構造物１０の外周にあって、型枠体２０の着底予定部分の水底部に、予め不陸調整用の捨てコンクリート層２２が形成される。
【００３３】
この捨てコンクリート層２２は、水底地盤を掘削整地した上に水中コンクリートを打設して形成される。なお、この捨てコンクリート層２２は、砕石を敷き均した砕石層に代替することができる。
【００３４】
捨てコンクリート層２２の形成が完了すると、その上部に型枠体２０の型枠板２０ａの下端が着底するようにして、仮締切工１２が沈設される。仮締切工１２の沈設が終了すると、仮締切壁体１８の内面と橋脚部１６との間に、仮締切壁体１８の支保工２４が設置される。
【００３５】
この支保工２４は、仮締切壁体１８の軸方向に沿って、所定の間隔を隔てて多段状に設置され、各支保工２４は、図５に示すように、ジャッキ２４ａと補剛材２４ｂとを備え、補剛材２４ｂの一端は、アンカーにより橋脚部１６に固定され、他端側は、仮締切壁体１８の内面に固定されている。
【００３６】
ジャッキ２４ａは、補剛材２４ｂで挟むようにして支持されており、ジャッキ２４ａを適宜伸長させることにより、仮締切壁体１８の安定性が確保される。仮締切壁体１８の支保が完了すると、次に、図３に示すように、根固めコンクリート部２６が形成される。
【００３７】
この根固めコンクリート部２６は、型枠体２０内に水中コンクリートを打設することにより形成される。この際に、仮締切壁体１８の下端側の一部が、根固めコンクリート部２６中に埋設するようにする。
【００３８】
本実施例の場合には、水中コンクリートの打設は、その天端が、型枠体２０の型枠板２０ａないしは連結材２０ｃの上端が、打設されたコンクリート中に埋設される位置に設定されている。この場合、型枠体２０と根固めコンクリート部２６との合計ボリュームは、仮締切工１２の全体に作用する浮力に対抗できる大きさに設定する。
【００３９】
なお、根固めコンクリート部２６を形成する際には、仮締切壁体１８の上下方向に貫通設置され、仮締切壁体１８の下端から下方に突出するアンカーロッド２８も、根固めコンクリート部２６中に埋設させる。
【００４０】
根固めコンクリート部２６の形成が終了すると、仮締切工１２の下端側の止水性が確保されるので、仮締切工１２の内部を排水して、ドライな状態にし、水中構造物１０の橋脚部１６の修理，補強などの改修工事が行われる。
【００４１】
改修工事が終了すると、仮締切工１２は、根固めコンクリート部２６とともにその全部を撤去する。
【００４２】
この際に、例えば、型枠体２０や根固めコンクリート部２６を残置させることもできる。これらを残置させる際には、予め、仮締切壁体１８の下端側に、ボルトナットにより連結した分離可能な部分を設けておき、ボルトナットを取外して、型枠体２０や根固めコンクリート部２６とともに下端側だけを残置させることもできる。
【００４３】
さて、以上のように構成した仮締切工法によれば、仮締切工１２は、予め製作される複数のパネルにより環状に形成される仮締切壁体１８と、仮締切壁体１８の下端外周に係止される環状の型枠体２０とを備え、水中構造物１０の外周を囲繞するようにして、仮締切壁体１８と型枠体２０とをそれぞれ環状に組立てた後に、水中構造物１０のフーチング１４の外側に沈設し、型枠体２０の内側に水中コンクリートを打設して、水中構造物と型枠体との間に、根固めコンクリート部２６を形成して、仮締切工１２の下端側を止水するので、水中構造物１０のフーチング１４と橋脚１６との間の大きさの差に関係なく仮締切工１２を設置することができる。
【００４４】
この場合、仮締切工１２は、予め製作される複数のパネルにより環状に形成される仮締切壁体１８と、仮締切壁体１８の下端外周に係止される環状の型枠体２０とを備えているので、水側地盤への矢板の打設などが不要になり、現地作業を大幅に軽減することができ、コストの低減と工期の短縮とを同時に達成することができる。
【００４５】
なお、上記実施例では、円形断面の水中構造物１０の改修工事に本発明を適用した場合を例示したが、本発明の実施は、これに限定されることはなく、仮締切工は、水中構造物の断面に合せて形成するので、任意の断面形状の水中構造物に適用することができる。
【００４６】
【発明の効果】
以上、詳細に説明したように、本発明にかかる仮締切工法によれば、フーチングと橋脚との間の大きさの差に制限を受けることがなく、コスト低減と工期の短縮とを可能にする。
【図面の簡単な説明】
【図１】本発明にかかる仮締切工法の最初の工程を示す説明図である。
【図２】図１に引き続いて行われる工程を示す説明図である。
【図３】図２に引き続いて行われる工程を示す説明図である。。
【図４】図３に引き続いて行われる工程を示す説明図である。。
【図５】図２の要部拡大図である。
【図６】図５のＡ−Ａ線矢視図である。
【符号の説明】
１０        水中構造物
１２        仮締切工
１４        フーチング
１６        橋脚部
１８        仮締切壁体
２０        型枠体
２０ａ      型枠板
２２        捨てコンクリート層
２６        根固めコンクリート部
【図１】
2004316133.tif 000003
【図２】
2004316133.tif 000004
【図３】
2004316133.tif 000005
【図４】
2004316133.tif 000006
【図５】
2004316133.tif 000007
【図６】
2004316133.tif 000008